(57)【特許請求の範囲】
【請求項１】
ａ）中央多孔透過チューブと、
ｂ）一端が前記中央多孔透過チューブに取り付けられ、その周りを外側にらせん状に巻かれ、少なくとも一対の膜シート、その膜シート間に固定された透過物スペーサシート、及びその膜シートの一方に追加される供給物スペーサシートを含む膜アセンブリと、
ｃ）保護外殻と、を含む複数のスパイラル型フィルタ装置と、
前記複数のスパイラル型フィルタ装置の前記中央多孔透過チューブ同士を接続するコネクタと、
そのコネクタに取り付けられた無線周波数識別（ＲＦＩＤ）タグと、を含み、
前記ＲＦＩＤタグは、流量計からの透過水の流れの性能データ、および導電率計からの透過水の導電性の性能データを格納したり取り出したりすることができるようになっていることを特徴とする濾過システム。
【請求項２】
前記ＲＦＩＤタグは、直接、流体に曝されないようになっていることを特徴とする請求項１に記載の濾過システム。
【請求項３】
複数のＲＦＩＤタグをさらに具備してなることを特徴とする請求項１に記載の濾過システム。
【請求項４】
移動防止具をさらに含むことを特徴とする請求項１に記載の濾過システム。
【請求項５】
前記供給物スペーサシートが膜シートに取り付けられて、少なくとも一つの透過チャネルを形成するようになっていることを特徴とする請求項１に記載の濾過システム。
【請求項６】
前記保護外殻が繊維強化プラスチックを具備してなることを特徴とする請求項１に記載の濾過システム。
【請求項７】
前記保護外殻の繊維がガラス繊維を具備してなることを特徴とする請求項６に記載の濾過システム。
【発明の詳細な説明】
【技術分野】
【０００１】
本発明は、逆浸透濾過装置および濾過システムに関し、より詳しくは内蔵型ＲＦＩＤタグを有する濾過装置に関する。
【背景技術】
【０００２】
限外濾過、精密濾過、および逆浸透用スパイラル膜要素は、長い間、流体混合物の成分を分離するのに有効な装置と考えられてきた。典型的な過程では、加圧された流体混合物が膜表面に接触させられ、化学的ポテンシャルの差により、その流体混合物の一つまたは複数の成分が膜を通過し、この膜を通過する質量輸送速度がまちまちであるために分離が可能となる。
【０００３】
逆浸透濾過システムは、一般に、直列に接続された複数の濾過装置を使用する。こうしたシステムは、フィルタ装置間のさまざまな複数の特性を考慮に入れるコンピュータ生成ローディングマップで設計されることが多い。濾過装置の製造プロセスは、装置特性のばらつきをもたらす可能性があるため、複数の濾過装置を含む濾過システムを設計する際、こうしたばらつきは、一般に重要な一要因となる。装置を最適に構成するには、特に、装置の経時的出力対除去のさまざまな特徴が考慮される。さらに、濾過装置の性能特性は、時間が経つにつれて変化する可能性があり、特定の装置を取り除くかまたは交換する必要がある場合がある。
【０００４】
ロードマップの作成、濾過装置の監視および交換は、濾過の情報を迅速かつ容易に格納し、後で取り出すことができる場合、かなり役立つ。
【先行技術文献】
【特許文献】
【０００５】
【特許文献１】米国特許第３，４１７，８７０号明細書
【特許文献２】米国特許第３，５５４，３７８号明細書
【特許文献３】米国特許第４，２３５，７２３号明細書
【特許文献４】米国特許第４，８５５，０５８号明細書
【特許文献５】米国特許第５，４６１，３８５号明細書
【特許文献６】米国特許第５，５２８，２２２号明細書
【特許文献７】米国特許第６，０４０，７７３号明細書
【特許文献８】米国特許出願公開第２００３／００１７８０４号明細書
【発明の概要】
【発明が解決しようとする課題】
【０００６】
しかし、容易に取り出すことができる重要な情報を濾過装置に提供する試みは非常に難しい。濾過中、濾過装置は非常に高い水圧に曝され、これは、バーコードなど、装置の紙ベースのタグを容易に剥ぎ取る可能性がある。さらに、読み取りを光学機器に依存するバーコードおよび他のデータ記憶機構は、濾過システムが圧力容器内に配置されている場合、容易にアクセスしたり読み取ったりすることができない。
【課題を解決するための手段】
【０００７】
本発明の実施形態は、データを格納し、取り出すための内蔵型無線周波数識別（ＲＦＩＤ）タグを含む逆浸透フィルタおよびシステムを含む。ＲＦＩＤタグは、濾過装置の保護外殻下に埋め込むか、濾過装置に取り付けられている液体および／または気体不透過性の容器内に含めることができることが好ましい。情報は、内蔵型ＲＦＩＤタグに容易に格納したり、そこから取り出したりすることができる。ＲＦＩＤタグは、濾過装置の保護外殻下に埋め込むことができるため、通常はデータ記憶装置に損害を与える流体や高圧に曝されることがない。内蔵型ＲＦＩＤ装置にデータを容易に格納し、そこからデータを容易に取り出すことができる機能によって、ローディングマップの作成、流体濾過装置の監視、追加および交換が容易になる。
【０００８】
本発明のスパイラル型膜濾過装置の好ましい実施形態は、中央多孔コアチューブ、一端が中央多孔コアチューブに取り付けられ、その周りで外側にらせん状に巻かれる少なくとも一対の膜シート、保護外殻、およびこの保護外殻下またはその中に内蔵された（埋め込まれた）無線周波数識別（ＲＦＩＤ）タグを含む。特に好ましい実施形態は、一対の膜シート間に固定された透過物スペーサシート、少なくとも一つの透過チャネルを形成するために膜シートに取り付けられた供給物スペーサシート、および移動防止具（ａｎｔｉ−ｔｅｌｅｓｃｏｐｉｎｇ  ｄｅｖｉｃｅ）をさらに含む。特に好ましい実施形態において保護外殻は、繊維強化プラスチックからなる。外殻のプラスチックは好ましくはエポキシを含み、外殻の繊維は好ましくは撚り糸などのガラス繊維を含む。
【０００９】
本発明の濾過装置およびシステムは、好ましくは複数のＲＦＩＤタグを含み、これらのタグはデータを格納したり、取り出したりすることができる。好ましい実施形態によれば内蔵型ＲＦＩＤタグは、流体および／または高圧に直接曝されない。
【００１０】
逆浸透濾過装置の製造方法は、好ましくは、中央多孔コアチューブの周りで外側にらせん状に巻かれる一対の膜シートをコアチューブに取り付け、膜シートを外部ラップで覆い、ＲＦＩＤタグを外部ラップに取り付け、外部ラップおよびＲＦＩＤタグを保護外殻で覆うステップを含む。
【００１１】
異なる性能特性を有する、ＲＦＩＤを備える複数の濾過装置をロードする方法は、各濾過装置の性能特性を示すデータを装置のＲＦＩＤタグに入力し、少なくとも最低限の性能標準によって特徴付けられるグループを得るために膜濾過装置をグループ化するステップを含む。好ましい実施形態においては、ソフトウェアを使用してローディングマップを作成したり、変更したりすることができる。
【００１２】
経時的に異なる性能特性を有する、ＲＦＩＤを備える複数の濾過装置を監視する方法は、各濾過装置の性能特性を示すデータを装置のＲＦＩＤタグに入力し、後のデータを装置のＲＦＩＤタグに入力し、当該データを定期的に調べるステップを含む。
【００１３】
経時的に異なる性能特性を有する、ＲＦＩＤを備える複数の濾過装置を取り除き、または交換する方法は、各濾過装置の性能特性を示すデータを装置のＲＦＩＤタグに入力し、そのＲＦＩＤタグ上のデータが規定された特徴と一致する場合、このＲＦＩＤタグ付き濾過装置を取り除くかまたは交換するステップを含む。
【００１４】
本発明の好ましい実施形態において、ＲＦＩＤタグに入力されたデータは、それだけには限定されないが、フィルタの経時的出力対除去データ、位置、性能履歴、製造履歴、ロードマップデータおよび検査データを含むことが好ましい。
好ましい実施形態において、データは、定期的にＲＦＩＤタグに追加され、そこから取り出され、かつ／または削除されてもよい。その他の実施形態において、入力されたデータを使用して、濾過装置の性能を監視し、かつ／またはＲＦＩＤタグ付き濾過装置を交換すべき時期を決定することができる。
【図面の簡単な説明】
【００１５】
【図１】内蔵型ＲＦＩＤタグを備える逆浸透濾過装置を示す図である。
【図２】内蔵型ＲＦＩＤタグを備える逆浸透濾過装置を示す切開図である。
【図３】濾過装置の外部ラップを示す切開部分を含む、内蔵型ＲＦＩＤタグを備える逆浸透濾過装置を示す別の図である。
【図４】図３の線Ｉに沿った断面図である。
【図５】逆浸透濾過システムを示す図である。
【図６】多数の逆浸透濾過装置の流量対除去データを示すグラフである。
【発明を実施するための形態】
【００１６】
本発明の実施形態は、ＲＦＩＤタグを含む、スパイラル型膜フィルタ装置を含む逆浸透脱塩システムからなる。本発明の逆浸透装置およびシステムの実施形態は、逆浸透濾過装置およびシステムに取り付けられ、かつ／またはその中に内蔵された（埋め込まれた）ＲＦＩＤタグを含む。情報は、内蔵型ＲＦＩＤタグに格納したり、そこから取り出したりすることができることが好ましい。本発明の実施形態では、内蔵型ＲＦＩＤ装置にデータを容易に格納し、そこからデータを取り出すことができる機能によって、ローディングマップの作成、流体濾過装置の監視、追加および交換が容易になる。さらに、ＲＦＩＤタグの使用は、バーコードを読み取るよりもＲＦＩＤタグを読み取る方が時間は掛からないため、バーコードなどの他のデータ格納機構の使用よりも有利である。さらに、ＲＦＩＤタグを読み取るのに照準線（ｌｉｎｅ  ｏｆ  ｓｉｇｈｔ）は必要がない。さらに、ＲＦＩＤの読み取りのプロセスは向きに依存しない。さらに、いくつかのＲＦＩＤタグは同時に読み取ることができる。
【００１７】
スパイラル型膜逆浸透装置、およびその構成および動作は、当業者には、よく知られている。こうした装置は、例えば米国特許第３，４１７，８７０号明細書（特許文献１）、米国特許第３，５５４，３７８号明細書（特許文献２）、米国特許第４，２３５，７２３号明細書（特許文献３）および米国特許第４，８５５，０５８号明細書（特許文献４）に開示されている。
【００１８】
図１は、内蔵型ＲＦＩＤタグ３０を備える逆浸透濾過装置１０を大まかに示している。図２に示されるように、スパイラル型逆浸透フィルタ装置１０において、２枚のフラットシート膜１２が透過物スペーサシート１４によって分けられて膜アセンブリ１６が形成されている。
【００１９】
この膜アセンブリ１６は、三つの側面において密封されており、第４の側面は、透過水が出るように開いたままである。供給物スペーサシート１８は、膜アセンブリの膜シート１２の一方に追加され、好ましくは少なくとも一つの透過チャネルを形成する。これら複数の膜アセンブリ１６は、中央多孔浸透チューブ２０の周りに巻かれている。この多孔チューブ２０は、複数の膜アセンブリ１６から透過水を集めるための穿孔２２を含む。図３に示されているように、好ましい実施形態は、フィルタ装置１０の中心軸に沿って膜アセンブリ１６および／または供給物スペーサ１８のシートが動くのを防ぐ移動防止具２４も含み得る。濾過装置の好ましい実施形態は、複数の膜シート、供給物スペーサシートおよび透過物スペーサシートを含むことが好ましい。濾過装置１０の好ましい実施形態は、長さ約１００または１５０ｃｍ、直径約１０または２０ｃｍである。
【００２０】
給水の一部分は、フィルタ装置１０を横切って流れる間に、スパイラルパスに沿って膜１２に浸潤し、中央多孔浸透チューブ２０方向に向かう。図４に示したように、外部ラップ２６は、最も外側の膜アセンブリ１６の周りに巻かれることが好ましい。外部ラップ２６は、最も外側の膜アセンブリ１６に貼り付けることができるプラスチックシートまたは繊維シートを含むことが好ましい。好ましい実施形態において、保護外殻２８は、外部ラップ２６に取り付けられる。外殻２８は、繊維強化プラスチックからなることが好ましい。
【００２１】
図４に示すように、本発明の実施形態は、濾過装置１０の保護外殻２８の下に配置される少なくとも一つのＲＦＩＤタグ３０を含むことが好ましい。特に好ましい実施形態では、ＲＦＩＤタグ３０は、糊または当業者に知られている他の接着剤によって外部ラップ２６に取り付けられ、好ましくは繊維強化プラスチックからなる外殻２８によって覆われる。この構成を採用する際、タグ３０は、通常、データ記憶装置に損害を与える流体または高圧に曝されないことが有利である。本発明の好ましい実施形態において、ＲＦＩＤを覆うために使用されるプラスチックはエポキシを含む。本発明の好ましい実施形態は、当業者に知られている他のプラスチックを使用することができる。好ましい実施形態において、保護外殻の繊維はガラス繊維を含む。別の好ましい実施形態において、保護外殻の繊維はプラスチック繊維を含む。保護外殻の繊維の好ましい実施形態は、ロープやより糸の形態、または当業者によく知られている他の類似の形態のガラスまたはプラスチック繊維を含む。保護外殻として接着テープを使用することもできる。
【００２２】
好ましい代替実施形態において、ＲＦＩＤタグは、液体不透過性の保護容器内に収められる。この容器は、濾過装置およびシステムに取り付けられてもよく、またはその極めて近くに配置することもできる。容器は、好ましくは、ガラス、プラスチック、または当業者によく知られている他の液体不透過性物質からなる。
【００２３】
フィルタ装置１０の好ましい実施形態は、さまざまな方法で製造することができる。フィルタ装置の好ましい実施形態を製造する好ましい一つの方法では、透過物スペーサシート１４が一対の膜シート１２の間に配置されていることが好ましい。糊または当業者によく知られている他の接着剤が、膜シート１２の間に配置されている透過物スペーサシート１４に接する膜シート１２の側面の周りに沿って塗布される。この糊付けによって、透過物スペーサシート１４が膜シート１２に取り付けられたままとなり、こうして膜アセンブリ１６が形成されることが好ましい。供給物スペーサシート１８は膜アセンブリ１６上に配置される。次いで膜アセンブリは、供給物スペーサシート１８に配置され、次いで別の供給物スペーサシート１８が続く。このプロセスは、複数の膜アセンブリ１６および供給物スペーサシート１８で繰り返され、これらが中央多孔透過チューブの周りに巻かれる。好ましい代替実施形態では、膜シート１２、接着剤、透過物スペーサシート１４、および供給物スペーサシート１８を、巻きプロセス中に追加することができる。次いで、外部ラップ２６を取り付けるために、最も外側の膜シート１２、透過物スペーサシート１４、または供給物スペーサシート１８に接着剤の層が塗布されることが好ましい。外部ラップは、プラスチック、繊維、または当業者によく知られている他の好適な材料からなることが好ましい。次いで、糊または当業者によく知られている他の接着剤がＲＦＩＤタグ３０に塗布され、ＲＦＩＤタグ３０が外部ラップ２６に取り付けられることが好ましい。次いで、保護外殻２８が外部ラップ２６およびＲＦＩＤタグ３０の周りに巻かれることが好ましい。保護外殻２８は、外部ラップ２６およびＲＦＩＤタグ３０の全表面を覆うことが好ましい。保護外殻２８は、濾過プロセスによってもたらされる液体、湿気、高圧にＲＦＩＤタグ３０が曝されるのを防ぐためにシールを形成することが好ましい。好ましい実施形態では、保護外殻２８は、プラスチックベースの接着剤を外部ラップ２６に塗布することによって作られる。例えば、使用できる一つのプラスチックベースの接着剤はエポキシである。代替実施形態において、プラスチック保護外殻２８に繊維が付加される。特に好ましい実施形態では、繊維は、エポキシの周りに巻かれる、より糸を含む。他の好ましい実施形態では、図２に示すように、移動防止具２４をフィルタ装置の側面に取り付けることができる。移動防止具２４はプラスチックからなることが好ましく、また、糊または当業者によく知られている他の接着剤によってフィルタに取り付けられることが好ましい。
【００２４】
ＲＦＩＤタグの構成および機能は当業者にはよく知られている。ＲＦＩＤタグは、例えば、米国特許第５，４６１，３８５号明細書（特許文献５）、米国特許第５，５２８，２２２号明細書（特許文献６）および米国特許第６，０４０，７７３号明細書（特許文献７）に開示されている。本発明の好ましい実施形態では、無線周波数識別タグシステムは、格納されているタグ情報を含む無線周波数識別タグを使用する。タグは、アンテナ要素および共通の電極を含むことが好ましい。アンテナ要素は、すぐ近くに配置された静電励振器（ｅｌｅｃｔｒｏｓｔａｔｉｃ  ｅｘｃｉｔｅｒ）から励振信号を静電気的に受信する。好ましい実施形態では、静電励振器は、有利なことを言えば、例えばＭｏｔｏｒｏｌａ  ＩｎｄａｌａのＡＳＲ−１２０基地局（Ｍｏｔｏｒｏｌａ  Ｉｎｄａｌａ  Ｃｏｒｐｏｒａｔｉｏｎ，  ３０４１  Ｏｒｃｈａｒｄ  Ｐａｒｋｗａｙ，  Ｓａｎ  Ｊｏｓｅ，  Ｃａｌｉｆ．  ９５１３４から入手可能な部品番号０５２００−００６）など、利用可能なタグ励振器回路から構成することができる。ＡＳＲ−１２０装置は、好ましくは、例えば銅板電極など適した励振器電極を形成し、ダイポール電極接続子のうちの一つに結合し、それによって励振器アンテナ要素を形成することによって構成できる。他方のダイポール電極接続子は、好ましくは接地され、励振器共通電極を形成する。ＡＳＲ−１２０は無線周波数識別タグから読み取り信号を受信するよう構成することもできるため、読み取り電極接続子に結合されるリーダアンテナ要素を含むように、さらに構成され得ることは理解されよう。
【００２５】
励振信号を受信すると、タグは励振され、それによって、格納されているタグ情報に基づいて読み取り信号が生成される。次いでアンテナ要素は、読み取り信号を、格納されているタグ情報を検出するすぐ近くに配置されているリーダに静電気的に送信する。さらに、正確には、タグ共通電極およびタグアンテナ要素のうちの一方が、タグ状態情報を磁気的に格納するように構成される。タグ状態情報は、正確には、考え得る二つの状態のうちの一つの状態を表し、すぐ近くに配置されている磁気リーダによって読み取られることが好ましい。
【００２６】
ＲＦＩＤタグには、さまざまな方法で電力を供給することができる。本発明の別の好ましい実施形態では、ＲＦＩＤタグが充電式バッテリを有しており、これは、ＲＦＩＤタグおよび／または測定装置に電力を供給するために使用することができる。当業者ならば、結合されたバッテリおよび受動電源を有するＲＦＩＤタグを製造することができる。こうしたＲＦＩＤタグは、米国特許出願公開第２００３／００１７８０４号明細書（特許文献８）に開示されている。
【００２７】
本発明の好ましい一実施形態は、内部バッテリによって、または呼掛けＲＦフィールド（ｉｎｔｅｒｒｏｇａｔｉｎｇ  ＲＦ  ｆｉｅｌｄ）によって受動的に電力が供給されるＲＦＩＤタグを提供する。その結果、ＲＦＩＤタグには、内部バッテリが消耗した後も電力を受動的に供給することができる。さらに、充電式バッテリは、流量計や導電率計など、データ収集および転送装置に電力を供給できることが好ましい。
【００２８】
より詳細には、ＲＦＩＤタグの一実施形態は、ＲＦＩＤ機能を提供する電子回路、および作動電圧を提供するように電子回路に結合されているエネルギー記憶装置を含む。バッテリは、エネルギー記憶装置を充電するように、エネルギー記憶装置に動作可能に結合される。呼掛けＲＦフィールドから導出された整流ＲＦ電源も、エネルギー記憶装置を充電するようにエネルギー記憶装置に動作可能に結合される。整流ＲＦ電源およびバッテリは、互いに電気的に分離される。エネルギー記憶装置は、バッテリが残存容量を有している間、ＲＦ呼掛けフィールド無しにバッテリによって充電されたままである。バッテリが消耗した後、エネルギー記憶装置がＲＦ呼掛けフィールドの存在によって充電される。
【００２９】
図５に示したように、好ましくは、圧力チューブ４０内に直列に接続された複数の膜フィルタ装置１０で逆浸透濾過システム５０に段を設けてもよい。図１〜図４の濾過装置は、好ましくは、図５の逆浸透濾過システム５０で使用されてもよい。フィルタシステム５０の特に好ましい実施形態は３ないし１０個の濾過装置を直列に含む。フィルタ装置１０は、このフィルタ装置１０の透過チューブ２０を接続するコネクタ４２によって接続される。塩水などの濃縮液は、入口チューブ４８を通ってシステム５０に入る。入口チューブ４８は、別のフィルタシステムの出口チューブ４４を含めて、流体の外部ソースに取り付けることができることが好ましい。第１のフィルタ装置（ＶＩ）からの塩水の流れが第２のフィルタ装置（ＶＩＩ）への供給になるなど、圧力チューブ４０内の各フィルタ装置１０ごとに供給が行われる。最後のフィルタ（ＶＩＩＩ）装置からの塩水の流れが濃縮液として出口チューブ４４から圧力チューブ４０を出る。各フィルタ装置１０からの透過水は、圧力容器４０に沿って直列に接続されている、次のフィルタ装置１０の中央チューブ２０で複合液として一つになる。透過水の流れの方向に配置されているそれぞれ次のフィルタ装置１０の透過水は、所与のフィルタ装置１０と、その上流に取り付けられているフィルタ装置１０からの透過水とを一つにした複合透過水である。透過水のイオン組成は、同じようにして形成された複合濃縮液である。例えば、第１のフィルタ装置（ＶＩ）から生成された透過水は、第２のフィルタ装置（ＶＩＩ）の透過チューブ２０に流れ込み、第２のフィルタ装置（ＶＩＩ）で生成された透過水と一つになる。この一つになった透過水は、第３のフィルタ装置（ＶＩＩＩ）の透過チューブ２０に流れ込み、第３のフィルタ装置（ＶＩＩＩ）で生成された透過水との複合透過水を形成する。このプロセスは、全てのフィルタ装置１０からの混合済み透過水が圧力容器を離れて単一の流れとして透過水口４６を通るまで続行する。商用の逆浸透ユニットでは、複数の圧力容器が並列に動作し、対応するマニホルドに共に接続されている給水口、濃縮液口および透過水口を有していることが好ましい。
【００３０】
逆浸透システムの性能は、一般に、膜ステージまたはＲＯ列の給水、透過水、および濃縮液の流れ、圧力、および導電性に関する情報を収集することによって監視される。透過水の流れの測定は、逆浸透ユニットのフィルタ装置の全てによって生成される混合済み透過水に関係する。さらに、透過水の導電性は、各個々の圧力容器から測定することができる。ＲＦＩＤは、濾過システム５０の個々の濾過装置１０に取り付けることができることが好ましい。さらにＲＦＩＤタグを、ＲＦＩＤシステムの他の構成要素に取り付けてもよい。例えばＲＦＩＤタグを、好ましくはコネクタ４２、透過水出口ポート４６、濃縮液出口ポート４４、入口ポート４８、または透過水チューブに取り付けてもよい。好ましい実施形態において濾過システム５０のＲＦＩＤタグは、高圧、および／または液体、および／または湿度に直接には曝されない。濾過システム５０のＲＦＩＤタグは、図１〜図４に示すように、フィルタ装置の保護外殻下に埋め込まれてもよい。他の好ましい実施形態では、ＲＦＩＤタグは、逆浸透濾過システムのさまざまな構成要素に取り付けられている流体および／または気体不透過性容器内に封入されてもよい。
【００３１】
本発明の好ましい実施形態は、複数の逆浸透濾過装置を含む濾過システムを作るために使用されるロードマップを作成する方法を含む。濾過システムを作る際、一般に、個々のフィルタ装置間の性能のばらつきを考慮に入れることによって、システムの所望の性能を達成することが必要である。個々の濾過装置の特性は、容易に内蔵型ＲＦＩＤタグに格納したり、そこから取り出したりすることができ、これによって逆浸透濾過システムの製造、監視およびメンテナンスが容易になる。
【００３２】
濾過装置間の性能のばらつきは、一般に、濾過装置の製造の過程で生じる欠陥または単なる普通のばらつきの結果として起こる。図６に示されるように、性能のばらつきは、一般に、フィルタの経時的出力対除去データとして観察され、分析され得る。フィルタの経時的出力対除去データは、互いに関してフィルタを配置すべき場所を決定するために使用することができる。
【００３３】
ロードマップの作成の方法は、好ましくは、少なくとも一つの最低限の性能標準によって特徴付けられるグループを得るために膜濾過装置をグループにまとめるステップを含む。濾過システムの好ましい実施形態では、供給流体から少なくとも９５％の塩を取り除くことができない個々の装置は、濾過システムでは使用されない。本発明の他の好ましい実施形態では、供給流体から少なくとも９９％の塩を取り除くことができない個々の装置は、濾過システムでは使用されない。本発明の特に好ましい実施形態では、供給流体から少なくとも９９．６％の塩を取り除くことができない個々の装置は、濾過システムでは使用されない。本発明の他の好ましい実施形態では、８００ｐｓｉで１日当たり少なくとも５０００ガロンの供給水を濾過することができない個々の装置は、濾過システムでは使用されない。本発明のその他の好ましい実施形態では、８００ｐｓｉで１日当たり少なくとも６０００ガロンの供給水を濾過することができない個々の装置は、濾過システムでは使用されない。特に好ましい実施形態では、フィルタ装置の場所は、個々のフィルタの経時的出力および除去の特性の組み合わせを考慮に入れる。目的は、妥当な範囲内に含まれる経時的出力および除去の特性を有することである。例えば、この特定の例に限定されるものではないが、フィルタ装置は、少なくとも９５％の塩を供給流体から取り除くことができ、１平方フィート、１日、１ｐｓｉ当たり０．０５から０．５ガロンの透過水の透過性を有する場合のみ使用される。
【００３４】
逆浸透濾過システムのローディングマップを作成する方法の好ましい実施形態は、個々のフィルタの性能特性に基づいてローディングマップを構築するソフトウェアを含む。このソフトウェアは、好ましくは、それだけには限定されないが、フィルタの性能特性、フィルタのＲＦＩＤタグデータ、およびフィルタの位置、製造履歴、性能データ、経時的出力対除去データ、検査データ、およびロードマップデータなど他のデータを含めて、フィルタごとにデータを格納することができる。
【００３５】
本発明の好ましい実施形態において、ＲＦＩＤ装置の入力データは、それだけには限定されないが、フィルタの位置、製造履歴、性能データ、経時的出力対除去データ、検査データ、およびローディングマップデータを含む。本発明の濾過装置および濾過システムの好ましい実施形態は、複数のＲＦＩＤタグを含む。
【００３６】
好ましい実施形態においては、データを、定期的にＲＦＩＤタグに追加し、またはそこから削除することができる。ＲＦＩＤタグは、システムを監視するために定期的に走査することができる。データは、濾過装置およびシステムから装置を交換し、および／または取り除くべき時期を決定するために使用することができる。ＲＦＩＤタグからのデータは、それだけには限定されないが、例えば、デジタル形式で格納され、コンピュータによって使用されるなど、当業者によく知られているさまざまな方法で格納され、使用され得る。
【００３７】
例えば、フィルタ装置は、いったん製造されると、その性能特性についてテストすることができる。次いでデータを、その特定の装置のＲＦＩＤタグに追加することができることが好ましい。データは、経時的出力、除去特性、フィルタが製造された時期、フィルタの製造者、フィルタが製造された場所、フィルタの製造に使用された材料の供給業者、および当業者によく知られている他の種類のデータを含むことができる。代替実施形態では、データをコンピュータのデータベース、または当業者によく知られている他の場所または形式で格納することもできる。次いで、ソフトウェアを使用して、複数のフィルタ装置の経時的出力および除去特性を分析し、ローディングマップを作成することができることが好ましい。最終的にローディングマップ上のある位置に割り当てられるフィルタは、所望の範囲内に含まれる性能特性（経時的出力および除去の割合など）を有することが好ましい。
【００３８】
フィルタの特性およびローディングマップに基づいて、フィルタを濾過システムに配置することができることが好ましい。他のフィルタに対するその位置は、コンピュータソフトウェアやユーザによって割り当てることができる。好ましい実施形態において、システム内のフィルタの姿勢および位置を、コンピュータに格納し、フィルタ装置のＲＦＩＤタグに入力することもできる。ＲＦＩＤタグは、上述したように、システム全体に取り付けることもでき、情報をコンピュータに入力することもできる。フィルタおよびシステムを定期的に検査し、かつ／または監視することもできる。好ましい実施形態において、データを、定期的にＲＦＩＤタグに入力し、そこから取り出すことができる。一部の好ましい実施形態において、ＲＦＩＤタグは、ハンドヘルド装置や当業者によく知られている他の情報取り出し装置によって一つずつ読み取られる。他の好ましい実施形態で、複数のＲＦＩＤタグからの情報を同時に取り出すことができる。好ましい実施形態では、フィルタおよびフィルタシステムのデータを使用してシステムまたは装置の性能を分析するために、コンピュータによってソフトウェアを使用することができる。こうしたデータは、好ましくは、装置またはシステムを取り除きかつ／または交換する必要がある時期を決定するために使用することもできる。
【００３９】
本発明の特定の形式について説明してきたが、本発明の要旨および範囲から逸脱することなく、さまざまな変更を加えることができることを理解されよう。
【符号の説明】
【００４０】
１０  逆浸透濾過装置
１２  膜シート
１４  透過物スペーサシート
１６  膜アセンブリ
１８  供給物スペーサシート
２０  中央多孔透過チューブ
２２  穿孔
２４  移動防止具
２６  外部ラップ
２８  保護外殻
３０  内蔵型ＲＦＩＤタグ
４０  圧力チューブ
４２  コネクタ
４４  出口チューブ
４６  透過水口
４８  入口チューブ
５０  逆浸透濾過システム
【図１】
0005570480.tif 000002
【図２】
0005570480.tif 000003
【図３】
0005570480.tif 000004
【図４】
0005570480.tif 000005
【図５】
0005570480.tif 000006
【図６】
0005570480.tif 000007